(57)【特許請求の範囲】
【請求項１】
乗物内に設けられたシートの肘掛内に対して平板状のテーブル本体が収納および引き出し可能に付設されてなる乗物用シートのテーブルにおいて、上記肘掛は、前端面に上記テーブル本体出し入れ用の開口を有し、上記テーブル本体は、ガイド部材に案内されつつ上記肘掛に対して垂直姿勢で収納および引き出し可能に設けられ、上記ガイド部材は、上記肘掛の上方の空間に設定された所定の点を曲率中心とする円弧に沿うように形成されていることを特徴とする乗物用シートのテーブル。
【請求項２】
上記テーブル本体を一側部で支持する支持ロッドと、この支持ロッドの他側部に取り付けられた被案内部材とが備えられ、上記テーブル本体は、水平姿勢と垂直姿勢との間で姿勢変更するように上記支持ロッド回りに回動自在に軸支され、上記ガイド部材は、上記被案内部材が上記ガイド部材の後部に移動した状態で、垂直姿勢に設定されたテーブル本体が肘掛内に収納されるとともに、上記被案内部材が上記ガイド部材の前部に移動した状態で上記テーブル本体が肘掛内から取り出されるように配置され、肘掛内から取り出されたテーブル本体の垂直姿勢からの姿勢変更による水平姿勢を維持するストッパーが設けられていることを特徴とする請求項１記載の乗物用シートのテーブル。
【発明の詳細な説明】
【０００１】
【発明の属する技術分野】
本発明は、電車や自動車や船舶さらには航空機等の乗物の室内に設けられるシートに付設された乗物用シートのテーブルに関するものである。
【０００２】
【従来の技術】
従来、旅客を運ぶ電車や自動車や船舶、さらには航空機等の乗物には、着座用のシートが多数設けられている。これらのシートには、通常、折り畳み式のテーブルが付設され、必要時に折り畳まれたテーブルを引き出して展開することにより載置面が水平になり、これによってテーブル上に物品を載置し得るようにするとともに、不必要なときには折り畳んでシートの所定の部位に収納することができるようになっている。このような折り畳み式のテーブルを備えた乗物用シートは、狭い乗物の室内を有効に利用することができるとして重宝されている。
【０００３】
従来の乗物用シートの折り畳み式テーブルは、テーブル本体がシートバックの背面部に水平軸回りに回動可能に設けられ、後席の着座者が前世期の背面部に収納されたテーブルを手前に開いて利用するようにした背面部取り付け方式のものや、テーブル本体が肘掛に水平軸回りに回動自在に軸支され、肘掛の側部に収納されたテーブル本体を水平軸回りの回動操作で引き出して利用するようにした肘掛部取り付け方式のもの等がある。
【０００４】
【発明が解決しようとする課題】
ところで、従来の背面部取り付け方式のものは、前後方向に整列された複数のシートが全て同一方向に向いているときは、後席の着座者が前席のテーブルを使用することができるが、前後のシートを互いに向き合わせるように配置した場合には、向き合ったシートの着座者はテーブルを利用することができなくなるという問題点を有している。
【０００５】
また、従来の肘掛取り付け方式のものは、収納されたテーブル本体を引き出すときに、テーブル本体の水平軸回りの回動軌跡が前席のシートバックに干渉するのを避けるためにテーブル本体大きくすることができず、テーブルが狭くて使い勝手の悪いものになるという問題点を有している。
【０００６】
本発明は、上記のような問題点を解決するためになされたものであり、テーブル本体の収納時および展開時に前席との間で干渉が起こり難く、これによってテーブル寸法を大きくすることができる乗物用シートのテーブルを提供することを目的としている。
【０００７】
【課題を解決するための手段】
本発明の請求項１記載の乗物用シートのテーブルは、乗物内に設けられたシートの肘掛内に対して平板状のテーブル本体が収納および引き出し可能に付設されてなる乗物用シートのテーブルにおいて、上記肘掛は、前端面に上記テーブル本体出し入れ用の開口を有し、上記テーブル本体は、ガイド部材に案内されつつ上記肘掛に対して垂直姿勢で収納および引き出し可能に設けられ、上記ガイド部材は、上記肘掛の上方の空間に設定された所定の点を曲率中心とする円弧に沿うように形成されていることを特徴とするものである。
【０００８】
この乗物用シートのテーブルによれは、テーブル本体は、肘掛に対し前端面の開口を介してガイド部材に案内されつつ出し入れ可能になっているため、ガイド部材による案内によりテーブル本体の出し入れ操作は円滑に行われる。そして、従来のように肘掛に設けられた水平軸回りにテーブル本体を回動させるものではないため、ガイド部材によるガイド軌跡を適切に選択することによって、テーブル本体の前席との干渉が回避される。
【０００９】
また、上記ガイド部材は、上記肘掛の上方の空間に設定された所定の点を曲率中心とする円弧に沿うように形成されているため、テーブルを、肘掛の上方の空間に設定された曲率中心回りに正逆回転させることによって肘掛に対して収納および引き出し可能になっており、テーブルの回転軌跡の径寸法を適切に設定することによって、テーブルが引き出された状態でそれを肘掛の前方上縁部に直膣させた状態にすることが可能であり、この直立したテーブルを水平姿勢に姿勢変更させるとによってシートの前方にテーブルがセッティングされた状態になる。
【００１０】
そして、テーブルの曲率中心回りの円軌跡が前席と干渉しないようにテーブルの曲率中心からの最大径寸法を設定するが可能であり、こうすることによってテーブルと前席との干渉を回避することができる。しかも、テーブルの幅寸法は、曲率中心回りの周寸法を大きくすることによって大きくすることが可能であり、これによってテーブルの載置面の面積を大きくすることができる。
【００１１】
本発明の請求項２記載の乗物用シートのテーブルは、請求項１記載の乗物用シートのテーブルにおいて、上記テーブル本体を一側部で支持する支持ロッドと、この支持ロッドの他側部に取り付けられた被案内部材とが備えられ、上記テーブル本体は、水平姿勢と垂直姿勢との間で姿勢変更するように上記支持ロッド回りに回動自在に軸支され、上記肘掛には、上記被案内部材を下に凹の円弧形状に沿って案内するガイド部材が設けられ、このガイド部材は、上記被案内部材が上記ガイド部材の後部に移動した状態で、垂直姿勢に設定されたテーブル本体が肘掛内に収納されるとともに、上記被案内部材が上記ガイド部材の前部に移動した状態で上記テーブル本体が肘掛内から取り出されるように配置され、肘掛内から取り出されたテーブル本体の垂直姿勢からの姿勢変更による水平姿勢を維持するストッパーが設けられていることを特徴とするものである。
【００１２】
この乗物用シートのテーブルによれば、テーブル本体は、肘掛内に収納された状態でガイド部材に沿って肘掛内の奥部に移動した被案内部材に支持ロッドを介して垂直姿勢で垂下している。この収納状態のテーブル本体は、それを肘掛内から外方に向けて引張ることにより被案内部材がガイド部材に案内されて肘掛の上方の曲率中心回りに回動しつつ外部に引き出され、肘掛の前方で直立状態になる。この直立した垂直姿勢のテーブル本体は、それを倒すことによって水平姿勢に姿勢変更される。水平姿勢に設定されたテーブル本体は、ストッパーによってその姿勢が維持される。
【００１３】
このように、テーブル本体とガイド部材との間に被案内部材および支持ロッドを介設したため、テーブル本体のガイド部材に沿った円運動が円滑に行われるとともに、テーブル本体の垂直姿勢と水平姿勢との間の姿勢変更が容易に行われ、テーブル本体の肘掛内に対する挿脱操作および引き出されたテーブル本体の水平姿勢への姿勢変更操作が容易になる。
【００１４】
【発明の実施の形態】
図１は、本発明に係るテーブルが装備された乗物用シートの一実施形態を示す一部切欠き斜視図である。なお、図１においてＸ−Ｘ方向を幅方向といい、Ｙ−Ｙ方向を前後方向という。そして特に−Ｘ方向を左方、＋Ｘ方向を右方、−Ｙ方向を前方、＋Ｙ方向を後方という。この図に示すように、乗物のフロアーＦ上には、着座席としてのシートボトム１１と、このシートボトム１１の後端部に立設された背凭れとしてのシートバック１２とからなるシート１が設けられている。
【００１５】
本実施形態の場合、このようなシート１の左側部に肘掛１３が設けられ、この肘掛１３に本発明に係るテーブル２が装備されている。そして、このテーブル２は、普段は肘掛１３内に収納され、使用時には白抜き矢印Ｍで示すように肘掛１３から引き出され、ついで、肘掛１３の前方で垂直姿勢になったテーブル本体２０を、白抜き矢印Ｎで示すように水平姿勢に倒して利用するようになっている。
【００１６】
図２は、本発明に係るテーブル２の一実施形態を示す分解斜視図であり、図３はその組立て斜視図である。また、図４はテーブル２の正面図であり、図５は同一部切欠き側面図である。なお、図４においては、テーブル本体２０が水平姿勢に設定された状態を示し、図５においては、テーブル本体２０が垂直姿勢に設定された状態を示している。これらの図に示すように、肘掛１３は、肘掛本体１４と、この肘掛本体１４を支持する箱体１５と、この箱体１５内に設けられた前後方向一対のフレーム１６と、これらのフレーム１６に支持されたガイドレール１７とを備えて形成されている。上記箱体１５の前端部にはテーブル２を挿脱する縦長の開口が形成されているとともに、箱体１５の内部に収納空間Ｖが形成され、この収納空間Ｖにテーブル２が挿脱自在に収納されるようになっている。また、箱体１５は外周面が表皮によって被覆され、これによって肘掛１３の外観が美麗になっている。
【００１７】
上記ガイドレール１７は、テーブル２の収納空間Ｖに対する挿脱を案内するものであり、肘掛本体１４の上部の所定の点Ｐ（図５）を曲率中心とした円弧に沿うように円弧形状に設定されている。このガイドレール１７は、両側部が上記一対のフレーム１６に溶接等によって固定される円弧板１７ａと、この円弧板１７ａの上下縁部から右方に突出した上下一対の突出縁部１７ｂと、これら一対の突出縁部１７ｂの右側端から互いに対向する方向に突設された上下方向一対の抜止め突条１７ｃとからなっている。テーブル２は、これら円弧板１７ａ、突出縁部１７ｂおよび抜止め突条１７ｃに囲まれた円弧空間Ｖ１に沿って移動して収納空間Ｖに対して挿脱されるようになっている。
【００１８】
上記テーブル２は、ガイドレール１７に案内されて移動する第１ブラケット(被案内部材）３と、この第１ブラケット３に取り付けられた支持ロッド４と、この支持ロッド４の先端側に取り付けられた第２ブラケット５と、この第２ブラケット５に取り付けられた板状のテーブル本体２０とからなっている。
【００１９】
上記第１ブラケット３は、矩形状の平板をコ字形状に折り曲げることによって形成されたものであり、中央の平板部３１と、この平板部３１の両側部から右方に向けて突出した一対の側板部３２とからなっている。上記平板部３１には対角線上に一対の第１貫通孔１０１が穿設されているとともに、中央部には長孔状の第２貫通孔１０２が穿設されている。また、一対の側板部３２の中央部には互いに対向するように第３貫通孔１０３が穿設されている。
【００２０】
上記第１貫通孔１０１の各々にはローラ３３が装着されている。このローラ３３は、ローラ軸３３ａと、このローラ軸３３ａ回りに回転自在に軸支されたローラ本体３３ｂとからなり、ローラ本体３３ｂがローラ軸３３ａ回りに回転自在に軸支されている。そして、ローラ軸３３ａが第１貫通孔１０１に嵌入された状態でかしめられることによりローラ３３がローラ軸３３ａ回りに回転自在に第１ブラケット３に装着された状態になっている。
【００２１】
上記ローラ本体３３ｂは、直径が上記ガイドレール１７の一対の突出縁部１７ｂ間の内寸法よりも若干小さめに寸法設定されている一方、一対の抜止め突条１７ｃ間の隙間寸法は上記ローラ軸３３ａの径寸法より若干大きめに寸法設定され、これによって一対のローラ本体３３ｂをガイドレール１７の円弧空間Ｖ１内に嵌め込んだ状態で第１ブラケット３はガイドレール１７に案内されつつ点Ｐを曲率中心とした円運動を行い得るようになっている。
【００２２】
上記支持ロッド４は、中央部のロッド本体４１と、このロッド本体４１の基端側から同心で延設されたロッド本体４１よりも小径の基端側ロッド４２と、ロッド本体４１の先端側から同心で延設された先端側ロッド４３とからなっている。上記基端側ロッド４２は、上記第１ブラケット３の第３貫通孔１０３に嵌入し得る径寸法に設定されているとともに、長手方向の中間部分に第４貫通孔１０４が穿設されており、基端側ロッド４２を一対の第３貫通孔１０３に嵌入した状態でピン状のストッパー４４が第４貫通孔１０４および第２貫通孔１０２に差し込まれ、これによって長孔状の第２貫通孔１０２の孔長さの範囲内で支持ロッド４が自軸心回りに回動し得るようになっている。
【００２３】
上記ストッパー４４は、中央部分に上記第４貫通孔１０４より大径のフランジ部４４ａが設けられている一方、ストッパー４４が水平姿勢（図４）と基端側ロッド４２回りに反時計方向に所定角度回った傾斜姿勢（図５）との間で姿勢変更し得るように上記長孔状の第２貫通孔１０２の穿設位置および孔長さが設定されている。また、前方側のフレーム１６は、ストッパー４４に対応した上下に長い長孔状の第８貫通孔１０８を有しており、テーブル本体２０が水平姿勢に設定された状態で上記ストッパー４４の端部がこの第８貫通孔１０８に嵌まり込み、これによってテーブル本体２０の水平姿勢が維持されるようになっている。
【００２４】
上記先端側ロッド４３は、外周面が軸心方向に平らに削られて形成した一対の偏平部４３ａを有しているとともに、端面からは同心で雄ねじ４３ｂが突設されている。
【００２５】
上記第２ブラケット５は、テーブル本体２０を支持するものであり、平板部５１と、この平板部５１の先端側から所定角度（略１３０°）折れ曲がって延設された天板部５２と、平板部５１の両側部に互いに対向するように略直角に折り曲げられて形成した一対の側壁部５３とからなっている。側壁部５３の基端側の隙間寸法は上記先端側ロッド４３の長さ寸法より若干短めに設定されている。各側壁部５３の基端側には、上記先端側ロッド４３の断面形状に合致した第５貫通孔１０５がそれぞれ穿設されている。これらの第５貫通孔１０５を上記先端側ロッド４３に外嵌し、ナットＮを雄ねじ４３ｂに螺着して締結することより、第２ブラケット５が軸心回りに共回り可能に支持ロッド４に結合されるようになっている。
【００２６】
また、各平板部５１の先端側には、それぞれ第６貫通孔１０６が互いに対向するように穿設され、これら第６貫通孔１０６にシャフト５４が挿通され、ナットＮで締結されるようになっている。このシャフト５４は、テーブル本体２０を第２ブラケット５に連結するためのものである。
【００２７】
上記テーブル本体２０は、矩形状の平板の一つの隅部（上記ガイドレール１７に対応した隅部）が、ガイドレール１７の最外側の曲率半径よりも大きい曲率半径になるように切り欠かれた円弧状縁部２１を有しているとともに、この円弧状縁部２１の対角部分が斜めに切り欠かれて形成された斜め縁部２２を有している。
【００２８】
上記円弧状縁部２１は、テーブル本体２０の回動操作時に縁部がガイドレール１７との間で干渉するのを回避するために形成されたものであり、上記斜め縁部２２は、同回動操作時に最外側の縁部が前方のシートに干渉するのを防止するためのものである。
【００２９】
このようなテーブル本体２０の基端側の裏面にはコ字形状のブラケット２３が取り付けられている。このブラケット２３は、平板部２３ａと、この平板部２３ａの両側部が互いに対向するように折り曲げられて形成した一対の側板部２３ｂとから構成されている。各側板部２３ｂ間の間隔寸法は、上記第２ブラケット５の先端側の側壁部５３間外寸法よりも若干大きく設定されている。また、各側板部２３ｂには互いに対向した第７貫通孔１０７が穿設されている。そして、ブラケット２３の一対の側板部２３ｂで第２ブラケット５の先端側の側壁部５３を挾持した状態で第７貫通孔１０７および第６貫通孔１０６にシャフト５４を差し通し、ついでナットＮで締結することにより、テーブル本体２０がシャフト５４回りに所定範囲で回動可能になっている。
【００３０】
そして、図４に示すように、第１ブラケット３がガイドレール１７の先端側に移動され、かつ、テーブル本体２０が横方向に延びるようにセッティングされた状態で、テーブル本体２０が水平姿勢に設定されるように側壁部５３の先端側の曲折角度が設定されている。
【００３１】
図６〜図８は、本発明のテーブル２の作用を説明するための説明図であり、図６は、垂直姿勢に設定されたテーブル本体２０が肘掛１３内に収納された状態、図７は、テーブル本体２０が肘掛１３から引き出された状態、図８は、肘掛１３から引き出されたテーブル本体２０が水平姿勢に設定された状態をそれぞれ示している。なお、これら図６〜図８において（イ）は正面略図、（ロ）は略側面図である。
【００３２】
まず、図６に示す状態では、テーブル本体２０が垂直姿勢に設定されたテーブル２は、その重みでテーブル本体２０がガイドレール１７に案内されつつ曲率中心Ｐ（図５）回りに反時計方向に回動した結果、肘掛１３内に収納され、これによって第１ブラケット３がガイドレール１７の最後部に位置した状態になっている。
【００３３】
この状態でガイドレール１７の前端部開口から指を差し入れてテーブル本体２０の縁部を摘み、テーブル本体２０を引き出すと、ローラ３３がガイドレール１７内を転動しつつ円弧空間Ｖ１内を移動し、これによってテーブル本体２０は曲率中心Ｐ（図５）回りに時計方向に回動し、第１ブラケット３がガイドレール１７の最前方に位置したときには、図７に示すように、支持ロッド４および第２ブラケット５に支持された垂直姿勢のテーブル本体２０が肘掛１３の前方に立設された状態になる。
【００３４】
ついで、図７に示す立設状態のテーブル本体２０を、支持ロッド４回りに時計方向（図７の（イ））に回すことにより、支持ロッド４は軸心回りに共回りし、これによってストッパー４４の左端部が長孔状の第２貫通孔１０２（図２）の上縁部に当止してそれ以上の回動が阻止されるとともに、ストッパー４４の右端部が前方のフレーム１６に穿設された第８貫通孔１０８に嵌まり込み、これによってテーブル本体２０の後退が阻止された状態になる。
【００３５】
この状態でさらにテーブル本体２０を支持ロッド４回りに時計方向に押圧すると、支持ロッド４の回動が阻止されているため、テーブル本体２０はシャフト５４回りに時計方向に回動し、テーブル本体２０の裏面が第２ブラケット５の天板部５２に当止してそれ以上の回動が阻止され、これによって、図８に示すように、テーブル本体２０は水平姿勢に設定される。
【００３６】
ついで、引き出されて水平姿勢に設定された、図８に示す状態のテーブル本体２０を肘掛１３内に収納する場合は、上記と逆の動作を行えばよい。こうすることによって垂直姿勢に設定されたテーブル本体２０は、ガイドレール１７に案内されつつ曲率中心Ｐ回りの反時計方向の回動によって、図６に示すように、肘掛１３内に収納される。
【００３７】
本発明は、以上詳述したように、曲率中心Ｐを肘掛１３の上方に設定した、下に凹の円弧形状のガイドレール１７を肘掛１３内に設け、テーブル本体２０がこのガイドレール１７に案内されつつ肘掛１３に対して出没するように構成されているため、肘掛１３から引き出されて水平姿勢に設定された状態でのテーブル本体２０の幅寸法は、曲率中心Ｐからの所定の径寸法における周長を任意に設定することで決めることが可能であり、周長を大きく設定することによってテーブル本体２０の幅寸法を大きくしても、この大きさに起因してテーブル本体２０が前列のシートに干渉するという不都合は生じず、従って、従来の折畳み式テーブルに比べて物品の載置面積を大きくすることが可能になる。
【００３８】
本発明は上記の実施形態に限定されるものではなく、以下の内容をも包含するものである。
【００３９】
（１）上記の実施形態においては、ガイドレール１７に案内されつつ肘掛１３の収納空間Ｖから外部に引き出された垂直姿勢のテーブル本体２０を、支持ロッド４回りに回すことによって水平姿勢に姿勢変更させるようにしているが、こうする代わりにガイドレール１７の先端側を収納空間Ｖの入口を横断するように、かつ、ねじりながら折り曲げ、これによってテーブル本体２０を収納空間Ｖから引き出した状態でガイドレール１７に案内されることによって垂直姿勢から水平姿勢に姿勢変更するように構成してもよい。
【００４０】
（２）上記の実施形態においては、テーブル本体２０を収納するため、およびガイドレール１７を支持するために肘掛１３に箱体１５を採用しているが、箱体を用いずにフレームのみでガイドレール１７を支持するとともに、フレームによって囲まれた空間にテーブル本体２０を収納するようにしてもよい。この場合、フレームの外周を表皮で覆うようにすれば、肘掛１３の外嵌が美麗になる。
【００４１】
【発明の効果】
本発明の請求項１記載の乗物用シートのテーブルによれば、テーブル本体を肘掛に対し前端面の開口を介してガイド部材に案内されつつ出し入れ可能に構成したため、ガイド部材による案内によってテーブル本体の出し入れ操作を円滑に行うことができる。そして、従来のように肘掛に設けられた水平軸回りにテーブル本体を回動させるものではないため、ガイド部材によるガイド軌跡を適切に選択することによって、テーブル本体の前席との干渉を回避することができる。
【００４２】
また、テーブルを、肘掛の上方の空間に設定された曲率中心回りに正逆回転させることによって肘掛に対して収納および引き出し可能にしているため、テーブルの回転軌跡の径寸法を適切に設定することによって、テーブルが引き出された状態でそれを肘掛の前方上縁部に直膣させた状態にすることが可能であり、この直立したテーブルを水平姿勢に姿勢変更させるとによってシートの前方にテーブルがセッティングされた状態にすることができる。
【００４３】
そして、テーブルの曲率中心回りの円軌跡が前席と干渉しないようにテーブルの曲率中心からの最大径寸法を設定するが可能であり、こうすることによってテーブルと前席との干渉を回避することができる。しかも、テーブルの幅寸法は、曲率中心回りの周寸法を大きくすることによって大きくすることができ、これによってテーブルの載置面の面積を大きくすることが可能であり、乗物内のシート前の狭い空間に、前シートと干渉しない状態で十分な載置量を確保したテーブルを出現させることができる。
【００４４】
本発明の請求項２記載の乗物用シートのテーブルによれば、テーブルは、板状のテーブル本体と、このテーブル本体を一側部で支持する支持ロッドと、この支持ロッドの他側部に取り付けられた被案内部材とから構成し、テーブル本体を水平姿勢と垂直姿勢との間で姿勢変更し得るように支持ロッドに取り付け、肘掛には、外側部に下に凹の円弧形状を有し、かつ、被案内部材を円弧形状に沿って案内するガイド部材を設け、このガイド部材は、被案内部材がガイド部材の後部に移動した状態で、垂直姿勢に設定されたテーブル本体が肘掛内に収納されるとともに、被案内部材が上記ガイド部材の前部に移動した状態で水平姿勢に姿勢変更するように配置されているため、テーブル本体は、肘掛内に収納された状態でガイド部材に沿って肘掛内の奥部に移動した被案内部材に支持ロッドを介して垂直姿勢で垂下した状態になり、この収納状態のテーブル本体は、それを肘掛内から外方に向けて引張ることにより被案内部材がガイド部材に案内されて肘掛の上方の曲率中心回りに回動しつつ外部に引き出され、これによってテーブル本体を肘掛の前方で直立状態にすることができる。この直立した垂直姿勢のテーブル本体は、それを倒すことによって水平姿勢に姿勢変更することができる。
【００４５】
このように、テーブル本体とガイド部材との間に被案内部材および支持ロッドを介設することによって、テーブル本体のガイド部材に沿った円運動を円滑に行わせることができるとともに、テーブル本体に垂直姿勢と水平姿勢との間の姿勢変更を容易に行わせることができ、これによってテーブル本体の肘掛内に対する挿脱操作および引き出されたテーブル本体の水平姿勢への姿勢変更操作を容易に行うことできる。
【図面の簡単な説明】
【図１】  本発明に係るテーブルが装備された乗物用シートの一実施形態を示す斜視図である。
【図２】  本発明に係るテーブルの一実施形態を示す一部切欠き分解斜視図である。
【図３】  図２に示すテーブルの一部切欠き組立て斜視図である。
【図４】  図２に示すテーブルの正面図である。
【図５】  図２に示すテーブル側面図である。
【図６】  （イ）および（ロ）は本発明のテーブルの作用を説明するための説明図であり、垂直姿勢に設定されたテーブル本体が肘掛内に収納された状態を示している。
【図７】  （イ）および（ロ）は本発明のテーブルの作用を説明するための説明図であり、テーブル本体が肘掛から引き出された状態を示している。
【図８】  （イ）および（ロ）は本発明のテーブルの作用を説明するための説明図であり、肘掛から引き出されたテーブル本体が水平姿勢に設定された状態を示している。
【符号の説明】
１  シート                １１  シートボトム
１２  シートバック        １３  肘掛
１４  肘掛本体            １５  箱体
１６  フレーム            １７  ガイドレール
１７ａ  円弧板            １７ｂ  突出縁部
１７ｃ  抜止め突条        ２  テーブル
２０  テーブル本体          ２１  円弧状縁部
２２  斜め縁部            ２３  ブラケット
２３ａ  平板部            ２３ｂ  側板部
３  第１ブラケット        ３１  平板部
３２  側板部              ３３  ローラ
３３ａ  ローラ軸          ３３ｂ  ローラ本体
４  支持ロッド            ４１  ロッド本体
４２  基端側ロッド        ４３  先端側ロッド
４３ａ  偏平部            ４３ｂ  雄ねじ
５  第２ブラケット        ５１  平板部
５２  天板部              ５３  側壁部
Ｎ  ナット
１０１〜１０８  第１〜第８貫通孔
【図１】
0003848724.tif 000002
【図２】
0003848724.tif 000003
【図３】
0003848724.tif 000004
【図４】
0003848724.tif 000005
【図５】
0003848724.tif 000006
【図６】
0003848724.tif 000007
【図７】
0003848724.tif 000008
【図８】
0003848724.tif 000009